(57)【要約】      （修正有）【課題】穀物乾燥機の組み立て、点検、修理等の高所作業を、足場設置に必要な費用、手間及び時間が低減された、穀物乾燥機用の安全対策器具及び該器具を備える穀物乾燥機を提供する。【解決手段】穀物乾燥機において被乾燥穀物を貯留する穀物貯留槽の内壁に、一端が作業者が装着した安全帯の他端が掛けられる安全帯掛け器具６を備えた。安全帯掛け器具６によって被乾燥穀物の流れが妨げられることがないように、被乾燥穀物の流れ方向に略平行になるようにすると共に、取付位置には、作業者が落下しかけた際に大きな荷重がかかることから、該荷重による穀物貯留槽２の変形を防止する為、穀物貯留槽２の外側に設けられる補強用リブ２２に対応する位置に設けた。【選択図】図２
2019007711.tif 000002
【特許請求の範囲】
【請求項１】
穀物乾燥機において被乾燥穀物を貯留する穀物貯留槽の内壁に取り付けられ、
安全帯が掛けられるリング部を備える、
穀物乾燥機用安全帯掛け器具。
【請求項２】
穀物乾燥機において被乾燥穀物を貯留する貯留槽の内壁に取り付けられ、
該貯留槽の内壁と共に安全帯が掛けられるリング部を形成する、
穀物乾燥機用安全帯掛け器具。
【請求項３】
穀物乾燥機において被乾燥穀物を貯留する貯留槽の内壁に取り付けられ、
安全帯が掛けられるフックを備える、
穀物乾燥機用安全帯掛け器具。
【請求項４】
前記リング部又はフックを含む平面が、前記貯留槽内における被乾燥穀物の流れ方向に略平行になるように取り付けられる、請求項１〜３のいずれか１項に記載の穀物乾燥機用安全帯掛け器具。
【請求項５】
請求項１〜４のいずれか１項に記載の穀物乾燥機用安全帯掛け器具が貯留槽の内壁に取り付けられた穀物乾燥機。
【発明の詳細な説明】
【技術分野】
【０００１】
本発明は、穀物乾燥機用安全帯掛け器具及びこれを備える穀物乾燥機に関する。
【背景技術】
【０００２】
穀物用乾燥機として、本体の上段に穀物貯留槽が、中段に通風乾燥部が、下段に穀物取出槽がそれぞれ設けられた構造を有し、前記各槽を順次流下した被乾燥穀物を昇降機で前記穀物貯留槽へと還流させることで、乾燥機内を循環させながら乾燥するよう動作するものが、広く実用化されている（特許文献１〜４）。
【０００３】
前記穀物乾燥機は、その構造上、小型のものでも高さ数メートル、大型のものでは高さ数十メートルにも達する。このため、穀物乾燥機の組み立て、点検、修理等の作業は、必然的に高所作業となる。
そこで、前記各作業時に作業員の転落を防止する安全対策として、穀物乾燥機の周囲に足場を組んでいた。
【先行技術文献】
【特許文献】
【０００４】
【特許文献１】特開平９−８９４５３号公報
【特許文献２】特開２００１−３３１７０号公報
【特許文献３】特開２００５−２１４５６４号公報
【特許文献４】特開２０１７−２０６９１号公報
【発明の開示】
【発明が解決しようとする課題】
【０００５】
穀物乾燥機の周囲に足場を組む場合、足場を手配する費用や手間、及びこれを組み立てるための時間や手間がかかってしまうことが課題であった。
そこで、本発明は、前記課題を解決し、設置に必要な費用、手間及び時間が低減された、穀物乾燥機用の安全対策器具及び該器具を備える穀物乾燥機を提供することを目的とする。
【課題を解決するための手段】
【０００６】
本発明者は、前記課題を解決するために種々の検討を行ったところ、被乾燥穀物を貯留する貯留槽の内壁に、安全帯を掛けるための安全帯掛け器具を取り付けることで、前記課題を解決できることを見出し、本発明を完成させるに至った。
【０００７】
すなわち、本発明は、前記課題を解決するために、以下の手段を採用する。
（１）穀物乾燥機において被乾燥穀物を貯留する貯留槽の内壁に取り付けられ、
安全帯が掛けられるリング部を備える、穀物乾燥機用安全帯掛け器具。
（２）穀物乾燥機において被乾燥穀物を貯留する貯留槽の内壁に取り付けられ、該貯留槽の内壁と共に安全帯が掛けられるリング部を形成する、穀物乾燥機用安全帯掛け器具。
（３）穀物乾燥機において被乾燥穀物を貯留する貯留槽の内壁に取り付けられ、
安全帯が掛けられるフックを備える、穀物乾燥機用安全帯掛け器具。
（４）前記リング部又はフックを含む平面が、前記貯留槽内における被乾燥穀物の流れ方向に略平行になるように取り付けられる、前記（１）〜（３）いずれかの穀物乾燥機用安全帯掛け器具。
（５）前記（１）〜（４）いずれかの穀物乾燥機用安全帯掛け器具が貯留槽の内壁に取り付けられた穀物乾燥機。
【発明の効果】
【０００８】
本発明によれば、設置に必要な費用、手間及び時間が低減された、穀物乾燥機用の安全対策器具及び該器具を備える穀物乾燥機を提供することができる。
【図面の簡単な説明】
【０００９】
【図１】本発明の一実施形態に係る安全帯掛け器具の模式図
【図２】本発明の一実施形態に係る安全帯掛け器具の取り付け態様を示す模式図
【図３】本発明の一実施形態に係る穀物乾燥機の外観を示す模式図
【発明を実施するための形態】
【００１０】
以下、本発明を、一実施形態に基づいて詳細に説明するが、本発明は該実施形態に限定されるものではない。
【００１１】
本発明の一実施形態（以下、「本実施形態」と記載する）に係る穀物乾燥機は、図３に示されるように、乾燥機本体１の上段に穀物貯留槽２が、中段に通風乾燥部３が、下段に穀物取出槽４がそれぞれ設けられた構造を有し、前記各槽を順次流下した被乾燥穀物を昇降機５で前記穀物貯留槽２へと還流させることで、乾燥機内を循環させながら乾燥するよう動作する。
【００１２】
本実施形態では、図２に示されるように、前記穀物貯留槽２の内壁２１に安全帯掛け器具６（図１参照）が取り付けられる。
前記安全帯掛け器具６の形状としては、図１（ａ）に示されるような、一端が前記穀物貯留槽２の内壁２１に取り付けられる一つの取付部６１と、該取付部６１の他端側に設けられ、安全帯が掛けられるリング部６２とを備える形状が挙げられる。
また、前記安全帯掛け器具６は、図１（ｂ）に示されるような、前記穀物貯留槽２に取り付けられる二つの取付部６１と、該二つの取付部６１同士を繋ぐ接続部６３とを備える形状であってもよい。該形状の安全帯掛け器具６は、前記穀物貯留槽２に取り付けた際、図２（ｂ）に示されるように、前記穀物貯留槽２の内壁２１と共に安全帯が掛けられるリング部（図示せず）を形成する。
さらに、前記安全帯掛け器具６は、図１（ｃ）に示されるような、一端が前記穀物貯留槽２の内壁２１に取り付けられる一つの取付部６１と、該取付部６１の他端側に設けられ、安全帯が掛けられるフック６４とを備える形状であってもよい。該形状とすることで、安全帯の着脱が容易になる。
【００１３】
前記安全帯掛け器具６の材質は、作業者が落下しかけた際に作業者の体を支えることができる強度を有するものであれば限定されず、金属やプラスチック等が使用可能であり、二種以上の素材を複合したものであってもよい。前記安全帯掛け器具６の寸法についても特に限定されず、作業者の体を支えることができる強度となるよう適宜設定される。
【００１４】
本実施形態において、前記穀物貯留槽２の内壁２１に前記安全帯掛け器具６を取り付ける方法は、作業者が落下しかけた際に作業者の体を支えることができるだけの取付強度が得られるものであれば限定されず、ネジ止めや溶接等が採用できる。
【００１５】
本実施形態において、前記安全帯掛け器具６の取付位置は、特に限定されないが、前記安全帯掛け器具６によって被乾燥穀物の流れが妨げられることがないように、例えば前記穀物貯留槽２の上部とすることが好ましい。また、前記取付位置には、作業者が落下しかけた際に大きな荷重がかかることから、該荷重による前記穀物貯留槽２の変形を防止する点で、前記穀物貯留槽２の外側に設けられる補強用リブ２２に対応する位置に取り付けることがより好ましい。
【００１６】
本実施形態においては、前記穀物貯留槽２に取り付けられる前記安全帯掛け器具６の向きは特に限定されないが、図２に示されるように、上記リング部６２又はフック６４を含む平面が、前記貯留槽内２における被乾燥穀物の流れ方向に略平行になるように取り付けることが、被乾燥穀物の流れを妨げにくい点で好ましい。ここで、「略平行」とは、被乾燥穀物の流れ方向に厳密に平行である場合のみならず、厳密には平行でないものの、被乾燥穀物の流れを阻害しない範囲で、該流れ方向に概ね沿って配置される場合も含む意味である。
【００１７】
前記安全帯掛け器具６は、前記穀物貯留槽２の内壁２１の一箇所のみに取り付けられても良く、複数の作業者による同時作業等に備えて複数箇所に取り付けられても良い。
【００１８】
本実施形態に係る安全帯掛け器具６は、一端が作業者の身体に取り付けられた安全帯の他端を、前記リング部６２又はフック６４に取り付けて使用される。その際使用される安全帯としては、フックを用いて安全帯掛け器具６に取り付けるもの等の公知のものが使用可能である。
【産業上の利用可能性】
【００１９】
本発明によれば、穀物乾燥機の穀物貯留槽に安全帯掛け器具を取り付けておくことができるため、穀物乾燥機の組み立て、点検、修理等の作業時に、周囲に足場を組むことなく安全対策を講じることができる。したがって、本発明は、足場の手配及び組立てに必要な費用、手間及び時間を削減できる点で有用である。
【符号の説明】
【００２０】
１    乾燥機本体
２    穀物貯留槽
２１  内壁
２２  補強用リブ
３    通風乾燥部
４    穀物取出部
５    昇降機
６    安全帯掛け器具
６１  取付部
６２  リング部
６３  接続部
６４  フック
【図１】
2019007711.tif 000003
【図２】
2019007711.tif 000004
【図３】
2019007711.tif 000005
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
本体の上段に穀物貯留槽が、中段に通風乾燥部が、下段に穀物取出槽がそれぞれ設けられた構造を有し、前記各槽を順次流下した被乾燥穀物を昇降機で前記穀物貯留槽へと還流させることで、乾燥機内を循環させながら乾燥するよう動作する穀物乾燥機において被乾燥穀物を貯留する前記穀物貯留槽の内壁に取り付けられ、
安全帯が掛けられるリング部を備える、
穀物乾燥機用安全帯掛け器具。
【請求項２】
本体の上段に穀物貯留槽が、中段に通風乾燥部が、下段に穀物取出槽がそれぞれ設けられた構造を有し、前記各槽を順次流下した被乾燥穀物を昇降機で前記穀物貯留槽へと還流させることで、乾燥機内を循環させながら乾燥するよう動作する穀物乾燥機において被乾燥穀物を貯留する前記穀物貯留槽の内壁に取り付けられ、
該貯留槽の内壁と共に安全帯が掛けられるリング部を形成する、
穀物乾燥機用安全帯掛け器具。
【請求項３】
本体の上段に穀物貯留槽が、中段に通風乾燥部が、下段に穀物取出槽がそれぞれ設けられた構造を有し、前記各槽を順次流下した被乾燥穀物を昇降機で前記穀物貯留槽へと還流させることで、乾燥機内を循環させながら乾燥するよう動作する穀物乾燥機において被乾燥穀物を貯留する前記穀物貯留槽の内壁に取り付けられ、
安全帯が掛けられるフックを備える、
穀物乾燥機用安全帯掛け器具。
【請求項４】
前記リング部又はフックを含む平面が、前記穀物貯留槽内における被乾燥穀物の流れ方向に略平行になるように取り付けられる、請求項１〜３のいずれか１項に記載の穀物乾燥機用安全帯掛け器具。
【請求項５】
本体の上段に穀物貯留槽が、中段に通風乾燥部が、下段に穀物取出槽がそれぞれ設けられた構造を有し、前記各槽を順次流下した被乾燥穀物を昇降機で前記穀物貯留槽へと還流させることで、乾燥機内を循環させながら乾燥するよう動作する穀物乾燥機であって、
請求項１〜４のいずれか１項に記載の穀物乾燥機用安全帯掛け器具が前記穀物貯留槽の内壁に取り付けられた穀物乾燥機。
【手続補正２】
【補正対象書類名】明細書
【補正対象項目名】０００７
【補正方法】変更
【補正の内容】
【０００７】
すなわち、本発明は、前記課題を解決するために、以下の手段を採用する。
（１）本体の上段に穀物貯留槽が、中段に通風乾燥部が、下段に穀物取出槽がそれぞれ設けられた構造を有し、前記各槽を順次流下した被乾燥穀物を昇降機で前記穀物貯留槽へと還流させることで、乾燥機内を循環させながら乾燥するよう動作する穀物乾燥機において被乾燥穀物を貯留する前記穀物貯留槽の内壁に取り付けられ、安全帯が掛けられるリング部を備える、穀物乾燥機用安全帯掛け器具。
（２）本体の上段に穀物貯留槽が、中段に通風乾燥部が、下段に穀物取出槽がそれぞれ設けられた構造を有し、前記各槽を順次流下した被乾燥穀物を昇降機で前記穀物貯留槽へと還流させることで、乾燥機内を循環させながら乾燥するよう動作する穀物乾燥機において被乾燥穀物を貯留する前記穀物貯留槽の内壁に取り付けられ、該貯留槽の内壁と共に安全帯が掛けられるリング部を形成する、穀物乾燥機用安全帯掛け器具。
（３）本体の上段に穀物貯留槽が、中段に通風乾燥部が、下段に穀物取出槽がそれぞれ設けられた構造を有し、前記各槽を順次流下した被乾燥穀物を昇降機で前記穀物貯留槽へと還流させることで、乾燥機内を循環させながら乾燥するよう動作する穀物乾燥機において被乾燥穀物を貯留する前記穀物貯留槽の内壁に取り付けられ、安全帯が掛けられるフックを備える、穀物乾燥機用安全帯掛け器具。
（４）前記リング部又はフックを含む平面が、前記穀物貯留槽内における被乾燥穀物の流れ方向に略平行になるように取り付けられる、前記（１）〜（３）いずれかの穀物乾燥機用安全帯掛け器具。
（５）本体の上段に穀物貯留槽が、中段に通風乾燥部が、下段に穀物取出槽がそれぞれ設けられた構造を有し、前記各槽を順次流下した被乾燥穀物を昇降機で前記穀物貯留槽へと還流させることで、乾燥機内を循環させながら乾燥するよう動作する穀物乾燥機であって、前記（１）〜（４）いずれかの穀物乾燥機用安全帯掛け器具が穀物貯留槽の内壁に取り付けられた穀物乾燥機。